(57)【要約】　　　（修正有）【課題】主として集合住宅や戸建て住宅の給水・給湯用樹脂配管の管継手におけるパイプ継手用止水プラグに関するもので、当面使用されない接続口を漏水することなく塞ぐための簡便でしかも確実な止水プラグを提供する。【解決手段】パイプを保持するコレット５とＯ−リング６とが内蔵された樹脂パイプの接続口４を有し、樹脂パイプが所定の長さだけ差し込まれた際に、その外表面にこれらが接触して接続され、かつ漏水が阻止されるワンタッチ型継手にあって、差し込まれる樹脂パイプの外径とほぼ同等の外径と、樹脂パイプの所定の差し込み長さ以上の長さをもっていることを特徴とする有底の止水プラグ。【選択図】　図４
2004144208.tif 000002
【特許請求の範囲】
【請求項１】
パイプを保持するコレットとＯ−リングとが内蔵された樹脂パイプの接続口を有し、樹脂パイプが所定の長さだけ差し込まれた際に、その外表面にこれらが接触して接続され、かつ漏水が阻止されるワンタッチ型継手にあって、差し込まれる樹脂パイプの外径とほぼ同等の外径と、樹脂パイプの所定の差し込み長さ以上の長さをもっていることを特徴とする有底の止水プラグ。
【請求項２】
止水プラグが樹脂製である請求項１記載の止水プラグ。
【請求項３】
樹脂がポリブテンである請求項２記載の止水プラグ。
【請求項４】
止水プラグの長さ方向にあって、樹脂パイプの接続口への所定の差し込み長さと同等の位置に差し込み長さ確認のマ−クが表示されている請求項１乃至３記載の止水プラグ。
【請求項５】
平頭状の傘部を有する請求項１乃至４記載の止水プラグ。
【発明の詳細な説明】
【０００１】
【発明が属する技術分野】
本発明は、主として集合住宅や戸建て住宅の給水・給湯用樹脂配管の管継手におけるパイプ継手用止水プラグに関するものである。
【０００２】
【従来の技術】
以下、給水・給湯用のヘッダ−をもって説明すると、特許文献１や特許文献２に見るように、集合住宅や戸建て住宅の給水・給湯はこれらの供給源からヘッダ−に導かれ、ヘッダ−に備えた接続口から必要な箇所へ配管される技術が登場している。この場合、管材は樹脂パイプが用いられ、ヘッダ−の接続口に差し込まれて接続され、床上を単に這わすだけで配管が完了する構成となっている。
【０００３】
【特許文献１】特願平８−０７４２９８号公報
【特許文献２】特願平９−２７９６４７号公報
【０００４】
即ち、かかるヘッダ−には多数の樹脂パイプが接続されるべく接続口が多数備えられ、しかも接続の作業性を考慮して、特許文献３や特許文献４に示すようないわゆるワンタッチ型の継手構造となっているのが多く、狭い作業スぺ−スでも完全な接続ができるように、更にはメンテナンスの面でも便利なように工夫されている。
【０００５】
かかるワンタッチ型継手の樹脂パイプが差し込まれる接続口内には、パイプを保持するコレットとＯ−リングとが内蔵され、所定の長さが差し込まれた樹脂パイプの外表面にこれらが接触して接続され、かつ漏水が阻止される構造となっている。
【０００６】
【特許文献３】特願平１０−２４６３６９号公報
【特許文献４】特願平１１−０３０３７９号公報
【０００７】
【発明が解決しようとする課題】
しかるに、施工コストの面で見て部品点数の削減が望ましく、かかる見地から予め配管の接続に用いられる接続口は一定の数が設けられたり、或いは、将来の増設使用を予測して予め余分に接続口を備えたりすることがある。これらの場合には、当面使用されない接続口を漏水することなく塞ぐ必要があるが、従来は適当な接続口を塞ぐ部材がなく、このため、簡便でしかも確実な止水プラグが求められていた。
【０００８】
本発明は以上の要請を満足すべく鋭意開発を重ね、新規でかつ効果的な止水プラグ及びこれを用いたパイプ継手止水構造を提供することを目的としたものである。
【０００９】
【課題を解決するための手段】
本発明は、パイプを保持するコレットとＯ−リングとが内蔵された樹脂パイプの接続口を有し、樹脂パイプが所定の長さだけ差し込まれた際に、その外表面にこれらが接触して接続され、かつ漏水が阻止されるワンタッチ型継手にあって、差し込まれる樹脂パイプの外径とほぼ同等の外径と、樹脂パイプの所定の差し込み長さ以上の長さをもっている有底の止水プラグである。
【００１０】
【発明の実施の形態】
本発明の止水プラグは以上の構成を有しており、継手の接続口に対しては樹脂パイプと同様に止水プラグを差し込むだけで内蔵されているパイプを保持するコレットとＯ−リングとによって止水が完了するものである。即ち、止水プラグも又、ワンタッチで継手と接続できることとしたものである。そして、必要になった際には継手を分解して止水プラグを取り出し、再度組み立てれば樹脂パイプの接続口として再度使用可能となるものである。
【００１１】
かかる止水プラグは樹脂パイプが差し込まれる接続口に同様に差し込んで止水するものであるから、止水プラグの外径は樹脂パイプのそれと同等であり、又、差し込みの長さも樹脂パイプの所定の長さ以上の長さをもっている必要がある。止水プラグの材質は樹脂材料であるのがよく、例えば樹脂パイプの材料と同じもので構成され、通常はポリブテン樹脂にて構成される。
【００１２】
止水プラグは勿論有底であって、継手内部の流体が漏れてはならない。かかる有底の構造は特に限定されるものではないが、止水プラグの差し込み先端、その中間部、或いは頭部を封鎖する構造であっても、更には、止水プラグそのものを中実としたものでもよい。中空の場合には、止水プラグの肉厚を樹脂パイプより厚めに形成したり、或いは、接続口内へ止水プラグを差し込む際に、サポ−トスリ−ブを止水プラグ内に挿入して用いるのがよい。尚、止水プラグの有底は止水プラグ自体が有底或いは中実であっても、プラグ内に差し込まれるサポ−トスリ−ブが有底であり、これによって実質的に有底の止水プラグとなればよい。
【００１３】
尚、止水プラグの差し込み易さのためには平頭状の傘部を有するのが好ましく、更に、止水プラグが所定の長さ分だけ差し込まれたことを確認するため、継手への樹脂パイプの差し込み長さと同等の位置に周ライン等の差し込み長さ確認のマ−クが表示するのがよい。止水プラグが差し込み不足の場合にあっては、パイプを保持するコレットやＯ−リングとの接触が完全ではなく、止水プラグの脱落や漏水の発生が生じてしまうからである。
【００１４】
【実施例】
以下、本発明を図面をもって更に詳細に説明する。
図１は本発明が適用される樹脂ヘッダ−１の一部側面図であり、図２はその接続口４のみを取り出した断面図、図３はこの接続口４に差し込まれる本発明の止水プラグ２０の一部切断側面図である。
【００１５】
図中、２は樹脂ヘッダ−基体であり、この例ではソケット３をもって多数連結されて樹脂ヘッダ−１が構成されている。さて、樹脂ヘッダ−基体２は樹脂パイプとの継手となっており、これとの接続口４が備えられ、その内部にパイプを保持するためのコレット５とＯ−リング６、そしてこの例では更にバックアップリング７が内蔵されている。コレット５には内側に樹脂パイプ及び止水プラグの外表面に食い込む爪８が備えられ、外側は傾斜面９となっている例である。そして、ソケット１０が螺合されてこれらが内蔵されるが、ソケット１０の内側には先のコレット５の傾斜面と対向する傾斜面１１が形成され、これらが接触し合い、コレット５を内側に曲げる作用をなして爪８の食い込み力を増す機能をなしている。
【００１６】
尚、樹脂ヘッダ−基体２の内部は段差部１２、１３が形成されており、浅い側の段差部１２内に先のコレット５及びＯ−リング６が内蔵されるものであって、深い側に形成された段差部１３は樹脂パイプ及び本発明の止水プラグ２０の差し込み長さを規制するものである。即ち、接続される樹脂パイプの先端がこの段差部１３に到達することにより、コレット５の爪８が有効に食い込み、Ｏ−リング６が適正に接触することになる。止水プラグ２０にとって言えば、プラグ２０の先端がこの部位にまで達することによって止水が完全になされることになる。
【００１７】
止水プラグ２０はこの例ではポリブテン製の中実体、筒状体等となっており、その外径Ａは用いられる樹脂パイプの外径と同等であり、その長さＬは樹脂パイプの差し込み長さ即ち段差部１３までの長さ以上とされるものである。そして、止水プラグ２０にはかかる段差部１３までの長さに等しい長さの位置にマ−ク（ここでは周ライン−溝）２１を付けておくもので、止水プラグ２０の差し込みがかかる位置に達すれば完全に止水機能が発揮できることを保証するものである。２２は平頭状の傘部であり、差し込み時に特に用いられるものである。尚、筒状の止水プラグ２０にあってはサポ−トスリ−ブ２３ａ、２３ｂ等が挿入されるのがよく、２３ｂにあってはこのサポ−トスリ−ブ２３ｂを有底２３ｃとなして止水プラグ２０を実質的に有底としている例である。
【００１８】
図４は止水プラグ２０を接続口４に差し込んだ状態を示す半裁断面図である。この図で分かるように、止水プラグ２０は樹脂パイプと同様に接続口４に差し込まれ、傘部２２にて押し込み、接続口４の先端にマ−ク２１が達したら、止水プラグ２０が段差部１３に到達したこととなる。従って、Ｏ−リング６が止水プラグ２０の外表面に接触してシ−ル効果を発揮するとともに、コレット５の爪８が止水プラグ２０の外表面に食い込んで脱落を阻止することになる。尚、内部流体の圧力により止水プラグ２０は接続口４側に押し出される方向の力を受けるが、コレット５の外表面の傾斜面９とソケット１０の内傾斜面１１とが接触し、コレット５は内方に力が加わり、より爪８が止水プラグ２０に食い込み、抜けを防止する構造となっている。
【００１９】
本発明にあって、パイプ継手を全て樹脂ヘッダ−をもって説明したが、パイプ継手は勿論これに限定されるものではなく、通常のパイプ接続継手にも応用できることは言うまでもない。図５は例えば図示しない給水器具に接続されるパイプ継手３０であり、給水器具側からの接続口にパイプ継手３０の螺合部３１が螺合されて接続され、図示しないが、樹脂パイプの先端にサポ−トスリ−ブが嵌め込まれた状態で前記と同様にソケット１０内に差し込まれることになる。しかるに、かかるパイプ継手からの給水を一時的に中止するような場合に、本発明の止水プラグ２０がここに採用されるものであり、この作用・効果は前記した通りである。
【００２０】
【発明の効果】
本発明は以上の通りであり、いわゆるワンタッチ型のパイプ継手において、パイプとの接続口を一時的にしろ封鎖するための止水プラグを提供したもので、接続口への取り付けは極めて簡単でかつその止水効果は高く、更には、パイプ継手のソケットを取り外して止水プラグを取り除くことにより、通常の樹脂パイプ接続口となるため、メンテナンス時にも極めて有用なものとなる。
【図面の簡単な説明】
【図１】図１は本発明が適用される樹脂ヘッダ−の一部側面図である。
【図２】図２は接続口の拡大断面図である。
【図３】図３は本発明の止水プラグの例を示す（切断）側面図である。
【図４】図４は接続口へ止水プラグを差し込んだ状態を示す半裁断面図である。
【図５】図５は給水器具等に接続されるパイプ継手の断面図である。
【符号の説明】
１‥樹脂ヘッダ−、
２‥樹脂ヘッダ−基体（パイプ継手）、
３、１０‥ソケット、
４‥樹脂パイプの接続口、
５‥コレット、
６‥Ｏ−リング、
７‥バックアップリング、
８‥コレットの内側に形成された爪、
９‥コレットの外側に形成された傾斜面、
１１‥ソケットの内側に形成された傾斜面、
１２、１３‥樹脂ヘッダ−基体内部に形成された段差部、
２０‥本発明の止水プラグ、
２１‥差し込み長さを確認するマ−ク、
２２‥傘部、
２３ａ、２３ｂ‥サポ−トスリ−ブ、
２３ｃ‥サポ−トスリ−ブの有底部、
３０‥パイプ継手、
３１‥パイプ継手の螺合部。
【図１】
2004144208.tif 000003
【図２】
2004144208.tif 000004
【図３】
2004144208.tif 000005
【図４】
2004144208.tif 000006
【図５】
2004144208.tif 000007